(57)【要約】      （修正有）【課題】スモールフォームファクタの電子デバイスで使用可能な効率的な証印読取デバイスを提供する。【解決手段】電子デバイス用小型バーコード読取モジュール１００を、バーコードをスキャンするように動作するイメージセンサパッケージと、プロセッサと、メモリと、フラッシュメモリと、フラッシュメモリにロードされた複数のバーコードスキャンアルゴリズムと、イメージセンサパッケージに動作可能に接続された画像キャプチャポートとを含むプロセッサダイとから構成する。バーコードスキャンファームウェアは、バーコード復号アルゴリズムがメモリにロードされているか判定し、ロードされたバーコード復号アルゴリズムが正しいバーコード復号アルゴリズムであるか誤ったバーコード復号アルゴリズムであるかを判定し、誤ったバーコード復号アルゴリズムをメモリからアンロードし、正しいバーコード復号アルゴリズムをメモリにロードする。【選択図】図１
2016119097.tif 000002
【特許請求の範囲】
【請求項１】
バーコードをスキャンするように動作するイメージセンサパッケージと、
前記イメージセンサパッケージに接続されたプロセッサダイ(die)であって、プロセッサと、メモリと、フラッシュメモリと、前記フラッシュメモリにロードされた複数のバーコードスキャンアルゴリズムと、前記イメージセンサパッケージに動作可能に接続された画像キャプチャポートとを有し、バーコードスキャンファームウェアが、
バーコード復号アルゴリズムが前記メモリにロードされているか判定し、
バーコード復号アルゴリズムが前記メモリにロードされている場合、前記ロードされたバーコード復号アルゴリズムが正しいバーコード復号アルゴリズムであるか誤ったバーコード復号アルゴリズムであるかを判定し、
前記ロードされたバーコード復号アルゴリズムが誤ったバーコード復号アルゴリズムであると判定された場合に、誤ったバーコード復号アルゴリズムを前記メモリからアンロードし、
正しいバーコード復号アルゴリズムを前記フラッシュメモリから前記メモリにロードする
ように動作する、プロセッサダイと
を備える、電子デバイス用小型バーコード読取モジュール。
【請求項２】
前記イメージセンサパッケージに統合された(integrated)照明器を備える、請求項１に記載のモジュール。
【請求項３】
前記イメージセンサパッケージに統合された照準器を備える、請求項１に記載のモジュール。
【請求項４】
前記プロセッサに動作可能に接続され、復号されたバーコードを送信するように構成されたインターフェースを備える、請求項１に記載のモジュール。
【請求項５】
前記プロセッサに電力を供給するように構成され配置された、統合された電力調整制御器を備える、請求項１に記載のモジュール。
【請求項６】
前記正しいバーコード復号アルゴリズムが、前記プロセッサによりロードするために自動的に選択される、請求項１に記載のモジュール。
【請求項７】
前記正しいバーコード復号アルゴリズムが、ユーザによりロードするために手動で選択される、請求項１に記載のモジュール。
【請求項８】
前記複数のバーコード復号アルゴリズムの１つが、ＰＤＦ４１７形式のバーコードを復号するように動作する、請求項１に記載のモジュール。
【請求項９】
前記複数のバーコード復号アルゴリズムの１つが、ＵＰＣ／ＥＡＮ形式のバーコードを復号するように動作する、請求項１に記載のモジュール。
【請求項１０】
前記複数のバーコード復号アルゴリズムの１つが、Ｃ１２８形式のバーコードを復号するように動作する、請求項１に記載のモジュール。
【請求項１１】
前記メモリが、３つから６つの画像とバーコード復号アルゴリズムとを保持するようにサイズ決定される、請求項１に記載のモジュール。
【請求項１２】
スキャンされたバーコード画像のサイズが、約０．３ＭＢから約１．２ＭＢに制限される、請求項１に記載のモジュール。
【請求項１３】
前記メモリが、約１．０ＭＢから約１０ＭＢである、請求項１に記載のモジュール。
【発明の詳細な説明】
【技術分野】
【０００１】
関連出願の相互参照
[0001]本出願は、２０１４年１２月２３日に出願された「ＭＩＮＩ−ＢＡＲＣＯＤＥ  ＲＥＡＤＩＮＧ  ＭＯＤＵＬＥ  ＷＩＴＨ  ＦＬＡＳＨ  ＭＥＭＯＲＹ  ＭＡＮＡＧＥＭＥＮＴ（フラッシュメモリ管理付き小型バーコード読取モジュール）」に関する米国仮特許出願第６２／０９５，８８１号の利益を主張する。前述の特許出願は、参照によりその全体が本明細書に組み込まれている。
【０００２】
[0002]本発明の実施形態は、一般的にはバーコード読取デバイスの分野に関し、より詳細には、スモールフォームファクタの電子デバイスで使用可能なフラッシュメモリ管理付き小型バーコード読取モジュールに関する。
【背景技術】
【０００３】
[0003]証印（ｉｎｄｉｃｉａ）リーダ、たとえばバーコードスキャナは通常、証印から情報を取得し、その情報をデータシステムで用いるために復号するように構成されている。従来の証印読取システムは、手持ち式バーコードスキャナを含む、証印を読み取るために用いられる種々のデバイスを包含する。本明細書では、バーコード、証印、およびコードシンボルという用語は、それらの最も広い意味において、リニアバーコード（たとえばリニアバーコードまたは１次元バーコード）と、マトリクスバーコード（たとえば２次元バーコード、ＱＲコード（登録商標）、アズテック（Ａｚｔｅｃ）コード、データマトリクス）と、光学式文字認識（ＯＣＲ：Ｏｐｔｉｃａｌ  Ｃｈａｒａｃｔｅｒ  Ｒｅｏｃｇｎｉｔｉｏｎ）対応ラベルとを含むように意図される。
【０００４】
[0004]手持ち式証印読取デバイス、たとえば手持ち式バーコードスキャナおよびモバイルコンピュータは、現在多数の環境において様々な用途で使用されている（たとえば、倉庫、配送車両、病院など）。この点で、小売業者の大部分、とりわけ食料品店および一般消費者小売店は、精算処理の効率および信頼性を向上するためにバーコード技術に現在依存している。従来、ユーザは、トリガまたはタッチスクリーンディスプレイを介して手持ち式証印読取デバイスと対話（ｉｎｔｅｒａｃｔ）する。
【０００５】
[0005]撮像装置バーコードリーダ（Ｉｍａｇｅｒ  ｂａｒｃｏｄｅ  ｒｅａｄｅｒ）、たとえば２次元コードリーダは、モバイルコンピューティングアプリケーションにおける使用を促進するために、サイズおよびコストに関して効率的である必要がある。この点で、この産業は、スペースおよびバッテリー電力に制限があるスマートフォン、携帯情報端末（ＰＤＡ：ｐｅｒｓｏｎａｌ  ｄｉｇｉｔａｌ  ａｓｓｉｓｔａｎｔ）、携帯データ端末（ＰＤＴ：ｐｏｒｔａｂｌｅ−ｄａｔａ  ｔｅｒｍｉｎａｌ）などの益々小さいフォームファクタのデバイスに含め易くするために、バーコード読取モジュールに関してより小さいフォームファクタおよび削減された電力使用量を達成しようとしている。
【発明の概要】
【発明が解決しようとする課題】
【０００６】
[0006]したがって、スモールフォームファクタの電子デバイスで使用可能なフラッシュメモリ管理付き小型バーコード読取モジュールを含むがこれに限定されない、より効率的な証印読取デバイスが必要である。
【課題を解決するための手段】
【０００７】
[0007]本開示は、一例示的電子デバイス用小型バーコード読取モジュールと、関連する使用方法とに関する。例示的デバイスは、プロセッサダイ（ｐｒｏｃｅｓｓｏｒ  ｄｉｅ）上のメモリのサイズを最小化し、バーコード復号アルゴリズムを要求に応じてロードおよびアンロードするように最適化されたファームウェアを含む。したがって、例示的デバイスにより、モジュールをスモールフォームファクタの電子デバイスで使用できるようになる。
【０００８】
[0008]例示的モジュールは、バーコードをスキャンするように動作するイメージセンサパッケージと、イメージセンサパッケージに接続されたプロセッサダイとを含むことができる。プロセッサダイは、プロセッサと、メモリと、フラッシュメモリと、フラッシュメモリにロードされた複数のバーコードスキャンアルゴリズムと、イメージセンサパッケージに動作可能に接続された画像キャプチャポートとを有する。プロセッサは、（ｉ）バーコード復号アルゴリズムがメモリにロードされているか判定し、（ｉｉ）ロードされたバーコード復号アルゴリズムが正しいバーコード復号アルゴリズムであるか誤ったバーコード復号アルゴリズムであるかを判定し、（ｉｉｉ）誤ったバーコード復号アルゴリズムをメモリからアンロードし、（ｉｖ）正しいバーコード復号アルゴリズムをメモリにロードするように動作するバーコードスキャンファームウェアをさらに含むことができる。
【０００９】
[0009]本明細書に記載の方法およびモジュールの例示的実施形態は、光学系を小型モジュールに統合し、電気システムを小型パッケージに統合することで、サイズ削減およびコスト削減を可能とする。さらに、デバイスのメモリ管理は、最重要の復号アルゴリズムを高速なメモリ、たとえば静的ランダムアクセスメモリ（ＳＲＡＭ）で動作させ、非使用のバーコード復号アルゴリズムを低速なメモリ、たとえばフラッシュメモリに格納することで、メモリ占有量（ｆｏｏｔｐｒｉｎｔ）を少なく維持しつつ高速な復号時間を達成するための選択に基づいて、バーコード復号アルゴリズムをロードおよびアンロードする。
【００１０】
[0010]前述の例示的な概要、ならびに本発明の他の例示的な目的および／または利点、およびこれらが実現される方法は、以下の詳細な説明および添付図面においてさらに説明される。
【図面の簡単な説明】
【００１１】
【図１】[0011]一例示的フラッシュメモリ管理付きバーコード読取モジュールのブロック図である。
【図２】[0012]バーコードを読み取る一例示的方法のフローチャートである。
【図３】[0013]バーコードを読み取る他の例示的方法のフローチャートである。
【発明を実施するための形態】
【００１２】
[0014]図面（図１〜３）を参照して、小型証印読取モジュールの一例示的実施形態が例示され、以降より完全に説明されることになる。一般に、例示的モジュールは、証印（たとえばバーコード）をスキャンするように動作するイメージセンサパッケージと、イメージセンサパッケージに接続されたプロセッサダイとを含むことができる。プロセッサダイは、プロセッサと、メモリと、フラッシュメモリと、フラッシュメモリにロードされた複数のバーコードスキャンアルゴリズムと、イメージセンサパッケージに動作可能に接続された画像キャプチャポートとを含むことができる。プロセッサは、（ｉ）バーコード復号アルゴリズムがメモリにロードされているか判定し、（ｉｉ）ロードされたバーコード復号アルゴリズムが正しいバーコード復号アルゴリズムであるか誤ったバーコード復号アルゴリズムであるかを判定し、（ｉｉｉ）誤ったバーコード復号アルゴリズムをメモリからアンロードし、（ｉｖ）正しいバーコード復号アルゴリズムをメモリにロードするように動作するバーコードスキャンファームウェアをさらに含むことができる。
【００１３】
[0015]図１を参照すると、一例示的フラッシュメモリ管理付き小型バーコード読取モジュールが、符号１００で示されている。典型的な読取モジュールと比較して、例示的モジュールでは、光学系（すなわち、イメージセンサパッケージ）を小型モジュールに統合し、電気システムをプロセッサダイに統合することで、サイズ削減およびコスト削減が実現される。
【００１４】
[0016]イメージセンサパッケージは、モジュールホルダ、センサダイ（ｓｅｎｓｏｒ  ｄｉｅ）、および光学フィルタ（たとえば赤外カットフィルタまたはトライバンドパスフィルタ）を密封パッケージ（すなわち、パッケージを外界から封止するためのもの）内で組み合わせた、低コストで小型の統合された撮像装置を含む。光学筐体内のレンズモジュールは、焦点調節され、密封パッケージに取り付けられる。
【００１５】
[0017]センサダイは、可能な限り低いモジュールの高さを実現するためのカスタマイズされたワイヤボンディング構成（すなわち、センサダイ電子機器に対する電気接続を行うためのもの）を有するチップオンボード（ＣＯＢ）イメージセンサパッケージを含む。イメージセンサパッケージは、代わりに、追加コストがかかりより大きな寸法のソケットまたは可撓接続を介して、取り付けてもよい。
【００１６】
[0018]イメージセンサパッケージは、任意選択の照明器および照準器（たとえば、ＬＥＤまたはＬＥＤ群）をさらに含むことができる。照明器は、スキャン対象バーコードを、画質を向上させるために照明するように構成される。照準器は、ユーザがイメージセンサをスキャン対象バーコードに正確に向けるのを支援する。
【００１７】
[0019]プロセッサダイは、オンチップスイッチング電力調整制御プロセッサ（パワーレッグ（Ｐｏｗｅｒ  Ｒｅｇ））（たとえば、安定した電力供給を維持するためのもの）、画像キャプチャポート、ＳＲＡＭ、シリアルフラッシュ、および通信インターフェース（たとえば、ＵＳＢ、Ｂｌｕｅｔｏｏｔｈ（登録商標）、近接通信、またはＲＦＩＤインターフェースポート）を有する低コストで小型のプロセッサを含むことができる。プロセッサは、バーコード画像をイメージセンサパッケージから受信し、バーコードを復号し、復号されたバーコードをさらなる処理のために電子デバイスに出力することができる。コードを実行しデータを保存するための追加のメモリを提供するために、外部シリアルＦＬＡＳＨ  ＩＣを使用してもよい。
【００１８】
[0020]プロセッサダイのサイズを小さく維持するために、ＳＲＡＭメモリのサイズは、スキャンされたバーコードの画像フレームの最小セット（たとえば、３から６画像フレーム）のためのストレージを提供し、小数のバーコード復号アルゴリズムを実行するように制限することができる。画像フレームサイズは、０．３メガバイト（ＭＢ）から１．２ＭＢの範囲とすることができ、その結果、全体のＳＲＡＭメモリサイズを１．０ＭＢから１０ＭＢの範囲に制限することができる。制限されたサイズ範囲により、プロセッサダイ上のメモリの占有量が制限され、モジュール１００のサイズがさらに減少する。ＰＤＦ４１７、ＵＰＣ／ＥＡＮ、Ｃ１２８などの小数のバーコード復号アルゴリズムのみをプロセッサ上で一度に動作させるためには、約５ＭＢのメモリが必要である。他の復号アルゴリズムが必要な場合、それらはユーザ選択により選択されるか、またはプロセッサ上で動作するアプリケーションにより自動的に決定される。
【００１９】
[0021]図２を参照すると、小型バーコード読取モジュールのファームウェアは、バーコード復号アルゴリズムを要求に応じてロードおよびアンロードするように最適化されている。具体的には、ファームウェアは、バーコード復号アルゴリズムがメモリにロードされているか判定し、これはバーコードの画像のキャプチャの前または後に行うことができる。バーコード復号アルゴリズムがメモリにロードされている場合、ファームウェアは、ロードされたバーコード復号アルゴリズムが正しいバーコード復号アルゴリズムであるか、または誤ったバーコード復号アルゴリズムであるかを、ユーザが復号を所望するバーコードの種類に基づいて判定する。
【００２０】
[0022]誤ったバーコード復号アルゴリズムが現在メモリにロードされている場合、ファームウェアは、誤ったバーコード復号アルゴリズムをメモリからアンロードする。そして、ファームウェアは、正しいバーコード復号アルゴリズムをフラッシュメモリからメモリにロードする。この処理は、ユーザにより手動で行われるか、またはファームウェアにより自動で行われてもよい。正しい復号アルゴリズムがメモリにロードされると、バーコードは復号され、電子デバイスによるさらなる処理のために出力される。
【００２１】
[0023]図３を参照すると、バーコードを読み取る方法の他の例示的実施形態が示されており、この実施形態は、正しいバーコード復号アルゴリズムが選択されメモリにロードされた後にバーコードの画像がキャプチャされる点で異なる。
【００２２】
[0024]まとめると、電子デバイスにおいてフラッシュメモリを管理する開示のモジュールおよび方法により、独自にプロセッサダイ上のメモリのサイズを大幅に削減できるようになるので、モジュールがスモールフォームファクタの電子デバイスで使用可能となることが、前述の説明および例示から理解されよう。バーコード復号アルゴリズムを要求に応じてロードおよびアンロードすることで、メモリのサイズを削減できるので、モジュールの製造コストおよびサイズを削減することができ、さらにモジュールをスモールフォームファクタの電子デバイス、たとえばスマートフォン、手持ち式ＰＤＡ、ＰＤＴ、およびコンピュータに含めることができる。
【００２３】
[0025]本開示を補完するために、本出願は、以下の同一出願人による（ｃｏｍｍｏｎｌｙ  ａｓｓｉｇｎｅｄ）特許、特許出願公開、および特許出願を、引用によりその全体を組み込む：
[0026][0025]本開示を補完するために、本出願は、以下の同一出願人による（ｃｏｍｍｏｎｌｙ  ａｓｓｉｇｎｅｄ）特許、特許出願公開、および特許出願を、引用によりその全体を組み込む：
米国特許Ｎｏ．６，８３２，７２５；米国特許Ｎｏ．７，１２８，２６６；
米国特許Ｎｏ．７，１５９，７８３；米国特許Ｎｏ．７，４１３，１２７；
米国特許Ｎｏ．７，７２６，５７５；米国特許Ｎｏ．８，２９４，９６９；
米国特許Ｎｏ．８，３１７，１０５；米国特許Ｎｏ．８，３２２，６２２；
米国特許Ｎｏ．８，３６６，００５；米国特許Ｎｏ．８，３７１，５０７；
米国特許Ｎｏ．８，３７６，２３３；米国特許Ｎｏ．８，３８１，９７９；
米国特許Ｎｏ．８，３９０，９０９；米国特許Ｎｏ．８，４０８，４６４；
米国特許Ｎｏ．８，４０８，４６８；米国特許Ｎｏ．８，４０８，４６９；
米国特許Ｎｏ．８，４２４，７６８；米国特許Ｎｏ．８，４４８，８６３；
米国特許Ｎｏ．８，４５７，０１３；米国特許Ｎｏ．８，４５９，５５７；
米国特許Ｎｏ．８，４６９，２７２；米国特許Ｎｏ．８，４７４，７１２；
米国特許Ｎｏ．８，４７９，９９２；米国特許Ｎｏ．８，４９０，８７７；
米国特許Ｎｏ．８，５１７，２７１；米国特許Ｎｏ．８，５２３，０７６；
米国特許Ｎｏ．８，５２８，８１８；米国特許Ｎｏ．８，５４４，７３７；
米国特許Ｎｏ．８，５４８，２４２；米国特許Ｎｏ．８，５４８，４２０；
米国特許Ｎｏ．８，５５０，３３５；米国特許Ｎｏ．８，５５０，３５４；
米国特許Ｎｏ．８，５５０，３５７；米国特許Ｎｏ．８，５５６，１７４；
米国特許Ｎｏ．８，５５６，１７６；米国特許Ｎｏ．８，５５６，１７７；
米国特許Ｎｏ．８，５５９，７６７；米国特許Ｎｏ．８，５９９，９５７；
米国特許Ｎｏ．８，５６１，８９５；米国特許Ｎｏ．８，５６１，９０３；
米国特許Ｎｏ．８，５６１，９０５；米国特許Ｎｏ．８，５６５，１０７；
米国特許Ｎｏ．８，５７１，３０７；米国特許Ｎｏ．８，５７９，２００；
米国特許Ｎｏ．８，５８３，９２４；米国特許Ｎｏ．８，５８４，９４５；
米国特許Ｎｏ．８，５８７，５９５；米国特許Ｎｏ．８，５８７，６９７；
米国特許Ｎｏ．８，５８８，８６９；米国特許Ｎｏ．８，５９０，７８９；
米国特許Ｎｏ．８，５９６，５３９；米国特許Ｎｏ．８，５９６，５４２；
米国特許Ｎｏ．８，５９６，５４３；米国特許Ｎｏ．８，５９９，２７１；
米国特許Ｎｏ．８，５９９，９５７；米国特許Ｎｏ．８，６００，１５８；
米国特許Ｎｏ．８，６００，１６７；米国特許Ｎｏ．８，６０２，３０９；
米国特許Ｎｏ．８，６０８，０５３；米国特許Ｎｏ．８，６０８，０７１；
米国特許Ｎｏ．８，６１１，３０９；米国特許Ｎｏ．８，６１５，４８７；
米国特許Ｎｏ．８，６１６，４５４；米国特許Ｎｏ．８，６２１，１２３；
米国特許Ｎｏ．８，６２２，３０３；米国特許Ｎｏ．８，６２８，０１３；
米国特許Ｎｏ．８，６２８，０１５；米国特許Ｎｏ．８，６２８，０１６；
米国特許Ｎｏ．８，６２９，９２６；米国特許Ｎｏ．８，６３０，４９１；
米国特許Ｎｏ．８，６３５，３０９；米国特許Ｎｏ．８，６３６，２００；
米国特許Ｎｏ．８，６３６，２１２；米国特許Ｎｏ．８，６３６，２１５；
米国特許Ｎｏ．８，６３６，２２４；米国特許Ｎｏ．８，６３８，８０６；
米国特許Ｎｏ．８，６４０，９５８；米国特許Ｎｏ．８，６４０，９６０；
米国特許Ｎｏ．８，６４３，７１７；米国特許Ｎｏ．８，６４６，６９２；
米国特許Ｎｏ．８，６４６，６９４；米国特許Ｎｏ．８，６５７，２００；
米国特許Ｎｏ．８，６５９，３９７；米国特許Ｎｏ．８，６６８，１４９；
米国特許Ｎｏ．８，６７８，２８５；米国特許Ｎｏ．８，６７８，２８６；
米国特許Ｎｏ．８，６８２，０７７；米国特許Ｎｏ．８，６８７，２８２；
米国特許Ｎｏ．８，６９２，９２７；米国特許Ｎｏ．８，６９５，８８０；
米国特許Ｎｏ．８，６９８，９４９；米国特許Ｎｏ．８，７１７，４９４；
米国特許Ｎｏ．８，７１７，４９４；米国特許Ｎｏ．８，７２０，７８３；
米国特許Ｎｏ．８，７２３，８０４；米国特許Ｎｏ．８，７２３，９０４；
米国特許Ｎｏ．８，７２７，２２３；米国特許Ｎｏ．Ｄ７０２，２３７；
米国特許Ｎｏ．８，７４０，０８２；米国特許Ｎｏ．８，７４０，０８５；
米国特許Ｎｏ．８，７４６，５６３；米国特許Ｎｏ．８，７５０，４４５；
米国特許Ｎｏ．８，７５２，７６６；米国特許Ｎｏ．８，７５６，０５９；
米国特許Ｎｏ．８，７５７，４９５；米国特許Ｎｏ．８，７６０，５６３；
米国特許Ｎｏ．８，７６３，９０９；米国特許Ｎｏ．８，７７７，１０８；
米国特許Ｎｏ．８，７７７，１０９；米国特許Ｎｏ．８，７７９，８９８；
米国特許Ｎｏ．８，７８１，５２０；米国特許Ｎｏ．８，７８３，５７３；
米国特許Ｎｏ．８，７８９，７５７；米国特許Ｎｏ．８，７８９，７５８；
米国特許Ｎｏ．８，７８９，７５９；米国特許Ｎｏ．８，７９４，５２０；
米国特許Ｎｏ．８，７９４，５２２；米国特許Ｎｏ．８，７９４，５２５；
米国特許Ｎｏ．８，７９４，５２６；米国特許Ｎｏ．８，７９８，３６７；
米国特許Ｎｏ．８，８０７，４３１；米国特許Ｎｏ．８，８０７，４３２；
米国特許Ｎｏ．８，８２０，６３０；米国特許Ｎｏ．８，８２２，８４８；
米国特許Ｎｏ．８，８２４，６９２；米国特許Ｎｏ．８，８２４，６９６；
米国特許Ｎｏ．８，８４２，８４９；米国特許Ｎｏ．８，８４４，８２２；
米国特許Ｎｏ．８，８４４，８２３；米国特許Ｎｏ．８，８４９，０１９；
米国特許Ｎｏ．８，８５１，３８３；米国特許Ｎｏ．８，８５４，６３３；
米国特許Ｎｏ．８，８６６，９６３；米国特許Ｎｏ．８，８６８，４２１；
米国特許Ｎｏ．８，８６８，５１９；米国特許Ｎｏ．８，８６８，８０２；
米国特許Ｎｏ．８，８６８，８０３；米国特許Ｎｏ．８，８７０，０７４；
米国特許Ｎｏ．８，８７９，６３９；米国特許Ｎｏ．８，８８０，４２６；
米国特許Ｎｏ．８，８８１，９８３；米国特許Ｎｏ．８，８８１，９８７；
米国特許Ｎｏ．８，９０３，１７２；米国特許Ｎｏ．８，９０８，９９５；
米国特許Ｎｏ．８，９１０，８７０；米国特許Ｎｏ．８，９１０，８７５；
米国特許Ｎｏ．８，９１４，２９０；米国特許Ｎｏ．８，９１４，７８８；
米国特許Ｎｏ．８，９１５，４３９；米国特許Ｎｏ．８，９１５，４４４；
米国特許Ｎｏ．８，９１６，７８９；米国特許Ｎｏ．８，９１８，２５０；
米国特許Ｎｏ．８，９１８，５６４；米国特許Ｎｏ．８，９２５，８１８；
米国特許Ｎｏ．８，９３９，３７４；米国特許Ｎｏ．８，９４２，４８０；
米国特許Ｎｏ．８，９４４，３１３；米国特許Ｎｏ．８，９４４，３２７；
米国特許Ｎｏ．８，９４４，３３２；米国特許Ｎｏ．８，９５０，６７８；
米国特許Ｎｏ．８，９６７，４６８；米国特許Ｎｏ．８，９７１，３４６；
米国特許Ｎｏ．８，９７６，０３０；米国特許Ｎｏ．８，９７６，３６８；
米国特許Ｎｏ．８，９７８，９８１；米国特許Ｎｏ．８，９７８，９８３；
米国特許Ｎｏ．８，９７８，９８４；米国特許Ｎｏ．８，９８５，４５６；
米国特許Ｎｏ．８，９８５，４５７；米国特許Ｎｏ．８，９８５，４５９；
米国特許Ｎｏ．８，９８５，４６１；米国特許Ｎｏ．８，９８８，５７８；
米国特許Ｎｏ．８，９８８，５９０；米国特許Ｎｏ．８，９９１，７０４；
米国特許Ｎｏ．８，９９６，１９４；米国特許Ｎｏ．８，９９６，３８４；
米国特許Ｎｏ．９，００２，６４１；米国特許Ｎｏ．９，００７，３６８；
米国特許Ｎｏ．９，０１０，６４１；米国特許Ｎｏ．９，０１５，５１３；
米国特許Ｎｏ．９，０１６，５７６；米国特許Ｎｏ．９，０２２，２８８；
米国特許Ｎｏ．９，０３０，９６４；米国特許Ｎｏ．９，０３３，２４０；
米国特許Ｎｏ．９，０３３，２４２；米国特許Ｎｏ．９，０３６，０５４；
米国特許Ｎｏ．９，０３７，３４４；米国特許Ｎｏ．９，０３８，９１１；
米国特許Ｎｏ．９，０３８，９１５；米国特許Ｎｏ．９，０４７，０９８；
米国特許Ｎｏ．９，０４７，３５９；米国特許Ｎｏ．９，０４７，４２０；
米国特許Ｎｏ．９，０４７，５２５；米国特許Ｎｏ．９，０４７，５３１；
米国特許Ｎｏ．９，０５３，０５５；米国特許Ｎｏ．９，０５３，３７８；
米国特許Ｎｏ．９，０５３，３８０；米国特許Ｎｏ．９，０５８，５２６；
米国特許Ｎｏ．９，０６４，１６５；米国特許Ｎｏ．９，０６４，１６７；
米国特許Ｎｏ．９，０６４，１６８；米国特許Ｎｏ．９，０６４，２５４；
米国特許Ｎｏ．９，０６６，０３２；米国特許Ｎｏ．９，０７０，０３２；
米国意匠特許Ｎｏ．Ｄ７１６，２８５；
米国意匠特許Ｎｏ．Ｄ７２３，５６０；
米国意匠特許Ｎｏ．Ｄ７３０，３５７；
米国意匠特許Ｎｏ．Ｄ７３０，９０１；
米国意匠特許Ｎｏ．Ｄ７３０，９０２；
米国意匠特許Ｎｏ．Ｄ７３３，１１２；
米国意匠特許Ｎｏ．Ｄ７３４，３３９；
国際公開Ｎｏ．２０１３／１６３７８９；
国際公開Ｎｏ．２０１３／１７３９８５；
国際公開Ｎｏ．２０１４／０１９１３０；
国際公開Ｎｏ．２０１４／１１０４９５；
米国特許出願公開Ｎｏ．２００８／０１８５４３２；
米国特許出願公開Ｎｏ．２００９／０１３４２２１；
米国特許出願公開Ｎｏ．２０１０／０１７７０８０；
米国特許出願公開Ｎｏ．２０１０／０１７７０７６；
米国特許出願公開Ｎｏ．２０１０／０１７７７０７；
米国特許出願公開Ｎｏ．２０１０／０１７７７４９；
米国特許出願公開Ｎｏ．２０１０／０２６５８８０；
米国特許出願公開Ｎｏ．２０１１／０２０２５５４；
米国特許出願公開Ｎｏ．２０１２／０１１１９４６；
米国特許出願公開Ｎｏ．２０１２／０１６８５１１；
米国特許出願公開Ｎｏ．２０１２／０１６８５１２；
米国特許出願公開Ｎｏ．２０１２／０１９３４２３；
米国特許出願公開Ｎｏ．２０１２／０２０３６４７；
米国特許出願公開Ｎｏ．２０１２／０２２３１４１；
米国特許出願公開Ｎｏ．２０１２／０２２８３８２；
米国特許出願公開Ｎｏ．２０１２／０２４８１８８；
米国特許出願公開Ｎｏ．２０１３／００４３３１２；
米国特許出願公開Ｎｏ．２０１３／００８２１０４；
米国特許出願公開Ｎｏ．２０１３／０１７５３４１；
米国特許出願公開Ｎｏ．２０１３／０１７５３４３；
米国特許出願公開Ｎｏ．２０１３／０２５７７４４；
米国特許出願公開Ｎｏ．２０１３／０２５７７５９；
米国特許出願公開Ｎｏ．２０１３／０２７０３４６；
米国特許出願公開Ｎｏ．２０１３／０２８７２５８；
米国特許出願公開Ｎｏ．２０１３／０２９２４７５；
米国特許出願公開Ｎｏ．２０１３／０２９２４７７；
米国特許出願公開Ｎｏ．２０１３／０２９３５３９；
米国特許出願公開Ｎｏ．２０１３／０２９３５４０；
米国特許出願公開Ｎｏ．２０１３／０３０６７２８；
米国特許出願公開Ｎｏ．２０１３／０３０６７３１；
米国特許出願公開Ｎｏ．２０１３／０３０７９６４；
米国特許出願公開Ｎｏ．２０１３／０３０８６２５；
米国特許出願公開Ｎｏ．２０１３／０３１３３２４；
米国特許出願公開Ｎｏ．２０１３／０３１３３２５；
米国特許出願公開Ｎｏ．２０１３／０３４２７１７；
米国特許出願公開Ｎｏ．２０１４／０００１２６７；
米国特許出願公開Ｎｏ．２０１４／０００８４３９；
米国特許出願公開Ｎｏ．２０１４／００２５５８４；
米国特許出願公開Ｎｏ．２０１４／００３４７３４；
米国特許出願公開Ｎｏ．２０１４／００３６８４８；
米国特許出願公開Ｎｏ．２０１４／００３９６９３；
米国特許出願公開Ｎｏ．２０１４／００４２８１４；
米国特許出願公開Ｎｏ．２０１４／００４９１２０；
米国特許出願公開Ｎｏ．２０１４／００４９６３５；
米国特許出願公開Ｎｏ．２０１４／００６１３０６；
米国特許出願公開Ｎｏ．２０１４／００６３２８９；
米国特許出願公開Ｎｏ．２０１４／００６６１３６；
米国特許出願公開Ｎｏ．２０１４／００６７６９２；
米国特許出願公開Ｎｏ．２０１４／００７０００５；
米国特許出願公開Ｎｏ．２０１４／００７１８４０；
米国特許出願公開Ｎｏ．２０１４／００７４７４６；
米国特許出願公開Ｎｏ．２０１４／００７６９７４；
米国特許出願公開Ｎｏ．２０１４／００７８３４１；
米国特許出願公開Ｎｏ．２０１４／００７８３４５；
米国特許出願公開Ｎｏ．２０１４／００９７２４９；
米国特許出願公開Ｎｏ．２０１４／００９８７９２；
米国特許出願公開Ｎｏ．２０１４／０１００８１３；
米国特許出願公開Ｎｏ．２０１４／０１０３１１５；
米国特許出願公開Ｎｏ．２０１４／０１０４４１３；
米国特許出願公開Ｎｏ．２０１４／０１０４４１４；
米国特許出願公開Ｎｏ．２０１４／０１０４４１６；
米国特許出願公開Ｎｏ．２０１４／０１０４４５１；
米国特許出願公開Ｎｏ．２０１４／０１０６５９４；
米国特許出願公開Ｎｏ．２０１４／０１０６７２５；
米国特許出願公開Ｎｏ．２０１４／０１０８０１０；
米国特許出願公開Ｎｏ．２０１４／０１０８４０２；
米国特許出願公開Ｎｏ．２０１４／０１１０４８５；
米国特許出願公開Ｎｏ．２０１４／０１１４５３０；
米国特許出願公開Ｎｏ．２０１４／０１２４５７７；
米国特許出願公開Ｎｏ．２０１４／０１２４５７９；
米国特許出願公開Ｎｏ．２０１４／０１２５８４２；
米国特許出願公開Ｎｏ．２０１４／０１２５８５３；
米国特許出願公開Ｎｏ．２０１４／０１２５９９９；
米国特許出願公開Ｎｏ．２０１４／０１２９３７８；
米国特許出願公開Ｎｏ．２０１４／０１３１４３８；
米国特許出願公開Ｎｏ．２０１４／０１３１４４１；
米国特許出願公開Ｎｏ．２０１４／０１３１４４３；
米国特許出願公開Ｎｏ．２０１４／０１３１４４４；
米国特許出願公開Ｎｏ．２０１４／０１３１４４５；
米国特許出願公開Ｎｏ．２０１４／０１３１４４８；
米国特許出願公開Ｎｏ．２０１４／０１３３３７９；
米国特許出願公開Ｎｏ．２０１４／０１３６２０８；
米国特許出願公開Ｎｏ．２０１４／０１４０５８５；
米国特許出願公開Ｎｏ．２０１４／０１５１４５３；
米国特許出願公開Ｎｏ．２０１４／０１５２８８２；
米国特許出願公開Ｎｏ．２０１４／０１５８７７０；
米国特許出願公開Ｎｏ．２０１４／０１５９８６９；
米国特許出願公開Ｎｏ．２０１４／０１６６７５５；
米国特許出願公開Ｎｏ．２０１４／０１６６７５９；
米国特許出願公開Ｎｏ．２０１４／０１６８７８７；
米国特許出願公開Ｎｏ．２０１４／０１７５１６５；
米国特許出願公開Ｎｏ．２０１４／０１７５１７２；
米国特許出願公開Ｎｏ．２０１４／０１９１６４４；
米国特許出願公開Ｎｏ．２０１４／０１９１９１３；
米国特許出願公開Ｎｏ．２０１４／０１９７２３８；
米国特許出願公開Ｎｏ．２０１４／０１９７２３９；
米国特許出願公開Ｎｏ．２０１４／０１９７３０４；
米国特許出願公開Ｎｏ．２０１４／０２１４６３１；
米国特許出願公開Ｎｏ．２０１４／０２１７１６６；
米国特許出願公開Ｎｏ．２０１４／０２１７１８０；
米国特許出願公開Ｎｏ．２０１４／０２３１５００；
米国特許出願公開Ｎｏ．２０１４／０２３２９３０；
米国特許出願公開Ｎｏ．２０１４／０２４７３１５；
米国特許出願公開Ｎｏ．２０１４／０２６３４９３；
米国特許出願公開Ｎｏ．２０１４／０２６３６４５；
米国特許出願公開Ｎｏ．２０１４／０２６７６０９；
米国特許出願公開Ｎｏ．２０１４／０２７０１９６；
米国特許出願公開Ｎｏ．２０１４／０２７０２２９；
米国特許出願公開Ｎｏ．２０１４／０２７８３８７；
米国特許出願公開Ｎｏ．２０１４／０２７８３９１；
米国特許出願公開Ｎｏ．２０１４／０２８２２１０；
米国特許出願公開Ｎｏ．２０１４／０２８４３８４；
米国特許出願公開Ｎｏ．２０１４／０２８８９３３；
米国特許出願公開Ｎｏ．２０１４／０２９７０５８；
米国特許出願公開Ｎｏ．２０１４／０２９９６６５；
米国特許出願公開Ｎｏ．２０１４／０３１２１２１；
米国特許出願公開Ｎｏ．２０１４／０３１９２２０；
米国特許出願公開Ｎｏ．２０１４／０３１９２２１；
米国特許出願公開Ｎｏ．２０１４／０３２６７８７；
米国特許出願公開Ｎｏ．２０１４／０３３２５９０；
米国特許出願公開Ｎｏ．２０１４／０３４４９４３；
米国特許出願公開Ｎｏ．２０１４／０３４６２３３；
米国特許出願公開Ｎｏ．２０１４／０３５１３１７；
米国特許出願公開Ｎｏ．２０１４／０３５３３７３；
米国特許出願公開Ｎｏ．２０１４／０３６１０７３；
米国特許出願公開Ｎｏ．２０１４／０３６１０８２；
米国特許出願公開Ｎｏ．２０１４／０３６２１８４；
米国特許出願公開Ｎｏ．２０１４／０３６３０１５；
米国特許出願公開Ｎｏ．２０１４／０３６９５１１；
米国特許出願公開Ｎｏ．２０１４／０３７４４８３；
米国特許出願公開Ｎｏ．２０１４／０３７４４８５；
米国特許出願公開Ｎｏ．２０１５／０００１３０１；
米国特許出願公開Ｎｏ．２０１５／０００１３０４；
米国特許出願公開Ｎｏ．２０１５／０００３６７３；
米国特許出願公開Ｎｏ．２０１５／０００９３３８；
米国特許出願公開Ｎｏ．２０１５／０００９６１０；
米国特許出願公開Ｎｏ．２０１５／００１４４１６；
米国特許出願公開Ｎｏ．２０１５／００２１３９７；
米国特許出願公開Ｎｏ．２０１５／００２８１０２；
米国特許出願公開Ｎｏ．２０１５／００２８１０３；
米国特許出願公開Ｎｏ．２０１５／００２８１０４；
米国特許出願公開Ｎｏ．２０１５／００２９００２；
米国特許出願公開Ｎｏ．２０１５／００３２７０９；
米国特許出願公開Ｎｏ．２０１５／００３９３０９；
米国特許出願公開Ｎｏ．２０１５／００３９８７８；
米国特許出願公開Ｎｏ．２０１５／００４０３７８；
米国特許出願公開Ｎｏ．２０１５／００４８１６８；
米国特許出願公開Ｎｏ．２０１５／００４９３４７；
米国特許出願公開Ｎｏ．２０１５／００５１９９２；
米国特許出願公開Ｎｏ．２０１５／００５３７６６；
米国特許出願公開Ｎｏ．２０１５／００５３７６８；
米国特許出願公開Ｎｏ．２０１５／００５３７６９；
米国特許出願公開Ｎｏ．２０１５／００６０５４４；
米国特許出願公開Ｎｏ．２０１５／００６２３６６；
米国特許出願公開Ｎｏ．２０１５／００６３２１５；
米国特許出願公開Ｎｏ．２０１５／００６３６７６；
米国特許出願公開Ｎｏ．２０１５／００６９１３０；
米国特許出願公開Ｎｏ．２０１５／００７１８１９；
米国特許出願公開Ｎｏ．２０１５／００８３８００；
米国特許出願公開Ｎｏ．２０１５／００８６１１４；
米国特許出願公開Ｎｏ．２０１５／００８８５２２；
米国特許出願公開Ｎｏ．２０１５／００９６８７２；
米国特許出願公開Ｎｏ．２０１５／００９９５５７；
米国特許出願公開Ｎｏ．２０１５／０１００１９６；
米国特許出願公開Ｎｏ．２０１５／０１０２１０９；
米国特許出願公開Ｎｏ．２０１５／０１１５０３５；
米国特許出願公開Ｎｏ．２０１５／０１２７７９１；
米国特許出願公開Ｎｏ．２０１５／０１２８１１６；
米国特許出願公開Ｎｏ．２０１５／０１２９６５９；
米国特許出願公開Ｎｏ．２０１５／０１３３０４７；
米国特許出願公開Ｎｏ．２０１５／０１３４４７０；
米国特許出願公開Ｎｏ．２０１５／０１３６８５１；
米国特許出願公開Ｎｏ．２０１５／０１３６８５４；
米国特許出願公開Ｎｏ．２０１５／０１４２４９２；
米国特許出願公開Ｎｏ．２０１５／０１４４６９２；
米国特許出願公開Ｎｏ．２０１５／０１４４６９８；
米国特許出願公開Ｎｏ．２０１５／０１４４７０１；
米国特許出願公開Ｎｏ．２０１５／０１４９９４６；
米国特許出願公開Ｎｏ．２０１５／０１６１４２９；
米国特許出願公開Ｎｏ．２０１５／０１６９９２５；
米国特許出願公開Ｎｏ．２０１５／０１６９９２９；
米国特許出願公開Ｎｏ．２０１５／０１７８５２３；
米国特許出願公開Ｎｏ．２０１５／０１７８５３４；
米国特許出願公開Ｎｏ．２０１５／０１７８５３５；
米国特許出願公開Ｎｏ．２０１５／０１７８５３６；
米国特許出願公開Ｎｏ．２０１５／０１７８５３７；
米国特許出願公開Ｎｏ．２０１５／０１８１０９３；
米国特許出願公開Ｎｏ．２０１５／０１８１１０９；
米国特許出願Ｎｏ．１３／３６７，９７８  ｆｏｒ  ａ  Ｌａｓｅｒ  Ｓｃａｎｎｉｎｇ  Ｍｏｄｕｌｅ  Ｅｍｐｌｏｙｉｎｇ  ａｎ  Ｅｌａｓｔｏｍｅｒｉｃ  Ｕ-Ｈｉｎｇｅ  Ｂａｓｅｄ  Ｌａｓｅｒ  Ｓｃａｎｎｉｎｇ  Ａｓｓｅｍｂｌｙ，  ｆｉｌｅｄ  Ｆｅｂｒｕａｒｙ  ７，  ２０１２  （Ｆｅｎｇ  ｅｔ  ａｌ．）；
米国特許出願Ｎｏ．２９／４５８，４０５  ｆｏｒ  ａｎ  Ｅｌｅｃｔｒｏｎｉｃ  Ｄｅｖｉｃｅ，  ｆｉｌｅｄ  Ｊｕｎｅ  １９，  ２０１３  （Ｆｉｔｃｈ  ｅｔ  ａｌ．）；
米国特許出願Ｎｏ．２９／４５９，６２０  ｆｏｒ  ａｎ  Ｅｌｅｃｔｒｏｎｉｃ  Ｄｅｖｉｃｅ  Ｅｎｃｌｏｓｕｒｅ，  ｆｉｌｅｄ  Ｊｕｌｙ  ２，  ２０１３  （Ｌｏｎｄｏｎ  ｅｔ  ａｌ．）；
米国特許出願Ｎｏ．２９／４６８，１１８  ｆｏｒ  ａｎ  Ｅｌｅｃｔｒｏｎｉｃ  Ｄｅｖｉｃｅ  Ｃａｓｅ，  ｆｉｌｅｄ  Ｓｅｐｔｅｍｂｅｒ  ２６，  ２０１３  （Ｏｂｅｒｐｒｉｌｌｅｒ  ｅｔ  ａｌ．）；
米国特許出願Ｎｏ．１４／１５０，３９３  ｆｏｒ  Ｉｎｄｉｃｉａ-ｒｅａｄｅｒ  Ｈａｖｉｎｇ  Ｕｎｉｔａｒｙ  Ｃｏｎｓｔｒｕｃｔｉｏｎ  Ｓｃａｎｎｅｒ，  ｆｉｌｅｄ  Ｊａｎｕａｒｙ  ８，  ２０１４  （Ｃｏｌａｖｉｔｏ  ｅｔ  ａｌ．）；
米国特許出願Ｎｏ．１４／２００，４０５  ｆｏｒ  Ｉｎｄｉｃｉａ  Ｒｅａｄｅｒ  ｆｏｒ  Ｓｉｚｅ-Ｌｉｍｉｔｅｄ  出願ｓ  ｆｉｌｅｄ  Ｍａｒｃｈ  ７，  ２０１４  （Ｆｅｎｇ  ｅｔ  ａｌ．）；
米国特許出願Ｎｏ．１４／２３１，８９８  ｆｏｒ  Ｈａｎｄ-Ｍｏｕｎｔｅｄ  Ｉｎｄｉｃｉａ-Ｒｅａｄｉｎｇ  Ｄｅｖｉｃｅ  ｗｉｔｈ  Ｆｉｎｇｅｒ  Ｍｏｔｉｏｎ  Ｔｒｉｇｇｅｒｉｎｇ  ｆｉｌｅｄ  Ａｐｒｉｌ  １，  ２０１４  （Ｖａｎ  Ｈｏｒｎ  ｅｔ  ａｌ．）；
米国特許出願Ｎｏ．２９／４８６，７５９  ｆｏｒ  ａｎ  Ｉｍａｇｉｎｇ  Ｔｅｒｍｉｎａｌ，  ｆｉｌｅｄ  Ａｐｒｉｌ  ２，  ２０１４  （Ｏｂｅｒｐｒｉｌｌｅｒ  ｅｔ  ａｌ．）；
米国特許出願Ｎｏ．１４／２５７，３６４  ｆｏｒ  Ｄｏｃｋｉｎｇ  Ｓｙｓｔｅｍ  ａｎｄ  Ｍｅｔｈｏｄ  Ｕｓｉｎｇ  Ｎｅａｒ  Ｆｉｅｌｄ  Ｃｏｍｍｕｎｉｃａｔｉｏｎ  ｆｉｌｅｄ  Ａｐｒｉｌ  ２１，  ２０１４  （Ｓｈｏｗｅｒｉｎｇ）；
米国特許出願Ｎｏ．１４／２６４，１７３  ｆｏｒ  Ａｕｔｏｆｏｃｕｓ  Ｌｅｎｓ  Ｓｙｓｔｅｍ  ｆｏｒ  Ｉｎｄｉｃｉａ  Ｒｅａｄｅｒｓ  ｆｉｌｅｄ  Ａｐｒｉｌ  ２９，  ２０１４  （Ａｃｋｌｅｙ  ｅｔ  ａｌ．）；
米国特許出願Ｎｏ．１４／２７７，３３７  ｆｏｒ  ＭＵＬＴＩＰＵＲＰＯＳＥ  ＯＰＴＩＣＡＬ  ＲＥＡＤＥＲ，  ｆｉｌｅｄ  Ｍａｙ  １４，  ２０１４  （Ｊｏｖａｎｏｖｓｋｉ  ｅｔ  ａｌ．）；
米国特許出願Ｎｏ．１４／２８３，２８２  ｆｏｒ  ＴＥＲＭＩＮＡＬ  ＨＡＶＩＮＧ  ＩＬＬＵＭＩＮＡＴＩＯＮ  ＡＮＤ  ＦＯＣＵＳ  ＣＯＮＴＲＯＬ  ｆｉｌｅｄ  Ｍａｙ  ２１，  ２０１４  （Ｌｉｕ  ｅｔ  ａｌ．）；
米国特許出願Ｎｏ．１４／３２７，８２７  ｆｏｒ  ａ  ＭＯＢＩＬＥ-ＰＨＯＮＥ  ＡＤＡＰＴＥＲ  ＦＯＲ  ＥＬＥＣＴＲＯＮＩＣ  ＴＲＡＮＳＡＣＴＩＯＮＳ，  ｆｉｌｅｄ  Ｊｕｌｙ  １０，  ２０１４  （Ｈｅｊｌ）；
米国特許出願Ｎｏ．１４／３３４，９３４  ｆｏｒ  ａ  ＳＹＳＴＥＭ  ＡＮＤ  ＭＥＴＨＯＤ  ＦＯＲ  ＩＮＤＩＣＩＡ  ＶＥＲＩＦＩＣＡＴＩＯＮ，  ｆｉｌｅｄ  Ｊｕｌｙ  １８，  ２０１４  （Ｈｅｊｌ）；
米国特許出願Ｎｏ．１４／３３９，７０８  ｆｏｒ  ＬＡＳＥＲ  ＳＣＡＮＮＩＮＧ  ＣＯＤＥ  ＳＹＭＢＯＬ  ＲＥＡＤＩＮＧ  ＳＹＳＴＥＭ，  ｆｉｌｅｄ  Ｊｕｌｙ  ２４，  ２０１４  （Ｘｉａｎ  ｅｔ  ａｌ．）；
米国特許出願Ｎｏ．１４／３４０，６２７  ｆｏｒ  ａｎ  ＡＸＩＡＬＬＹ  ＲＥＩＮＦＯＲＣＥＤ  ＦＬＥＸＩＢＬＥ  ＳＣＡＮ  ＥＬＥＭＥＮＴ，  ｆｉｌｅｄ  Ｊｕｌｙ  ２５，  ２０１４  （Ｒｕｅｂｌｉｎｇｅｒ  ｅｔ  ａｌ．）；
米国特許出願Ｎｏ．１４／４４６，３９１  ｆｏｒ  ＭＵＬＴＩＦＵＮＣＴＩＯＮ  ＰＯＩＮＴ  ＯＦ  ＳＡＬＥ  ＡＰＰＡＲＡＴＵＳ  ＷＩＴＨ  ＯＰＴＩＣＡＬ  ＳＩＧＮＡＴＵＲＥ  ＣＡＰＴＵＲＥ  ｆｉｌｅｄ  Ｊｕｌｙ  ３０，  ２０１４  （Ｇｏｏｄ  ｅｔ  ａｌ．）；
米国特許出願Ｎｏ．１４／４５２，６９７  ｆｏｒ  ＩＮＴＥＲＡＣＴＩＶＥ  ＩＮＤＩＣＩＡ  ＲＥＡＤＥＲ，  ｆｉｌｅｄ  Ａｕｇｕｓｔ  ６，  ２０１４  （Ｔｏｄｅｓｃｈｉｎｉ）；
米国特許出願Ｎｏ．１４／４５３，０１９  ｆｏｒ  ＤＩＭＥＮＳＩＯＮＩＮＧ  ＳＹＳＴＥＭ  ＷＩＴＨ  ＧＵＩＤＥＤ  ＡＬＩＧＮＭＥＮＴ，  ｆｉｌｅｄ  Ａｕｇｕｓｔ  ６，  ２０１４  （Ｌｉ  ｅｔ  ａｌ．）；
米国特許出願Ｎｏ．１４／４６２，８０１  ｆｏｒ  ＭＯＢＩＬＥ  ＣＯＭＰＵＴＩＮＧ  ＤＥＶＩＣＥ  ＷＩＴＨ  ＤＡＴＡ  ＣＯＧＮＩＴＩＯＮ  ＳＯＦＴＷＡＲＥ，  ｆｉｌｅｄ  ｏｎ  Ａｕｇｕｓｔ  １９，  ２０１４  （Ｔｏｄｅｓｃｈｉｎｉ  ｅｔ  ａｌ．）；
米国特許出願Ｎｏ．１４／４８３，０５６  ｆｏｒ  ＶＡＲＩＡＢＬＥ  ＤＥＰＴＨ  ＯＦ  ＦＩＥＬＤ  ＢＡＲＣＯＤＥ  ＳＣＡＮＮＥＲ  ｆｉｌｅｄ  Ｓｅｐ．  １０，  ２０１４  （ＭｃＣｌｏｓｋｅｙ  ｅｔ  ａｌ．）；
米国特許出願Ｎｏ．１４／５１３，８０８  ｆｏｒ  ＩＤＥＮＴＩＦＹＩＮＧ  ＩＮＶＥＮＴＯＲＹ  ＩＴＥＭＳ  ＩＮ  Ａ  ＳＴＯＲＡＧＥ  ＦＡＣＩＬＩＴＹ  ｆｉｌｅｄ  Ｏｃｔ．  １４，  ２０１４  （Ｓｉｎｇｅｌ  ｅｔ  ａｌ．）；
米国特許出願Ｎｏ．１４／５１９，１９５  ｆｏｒ  ＨＡＮＤＨＥＬＤ  ＤＩＭＥＮＳＩＯＮＩＮＧ  ＳＹＳＴＥＭ  ＷＩＴＨ  ＦＥＥＤＢＡＣＫ  ｆｉｌｅｄ  Ｏｃｔ．  ２１，  ２０１４  （Ｌａｆｆａｒｇｕｅ  ｅｔ  ａｌ．）；
米国特許出願Ｎｏ．１４／５１９，１７９  ｆｏｒ  ＤＩＭＥＮＳＩＯＮＩＮＧ  ＳＹＳＴＥＭ  ＷＩＴＨ  ＭＵＬＴＩＰＡＴＨ  ＩＮＴＥＲＦＥＲＥＮＣＥ  ＭＩＴＩＧＡＴＩＯＮ  ｆｉｌｅｄ  Ｏｃｔ．  ２１，  ２０１４  （Ｔｈｕｒｉｅｓ  ｅｔ  ａｌ．）；
米国特許出願Ｎｏ．１４／５１９，２１１  ｆｏｒ  ＳＹＳＴＥＭ  ＡＮＤ  ＭＥＴＨＯＤ  ＦＯＲ  ＤＩＭＥＮＳＩＯＮＩＮＧ  ｆｉｌｅｄ  Ｏｃｔ．  ２１，  ２０１４  （Ａｃｋｌｅｙ  ｅｔ  ａｌ．）；
米国特許出願Ｎｏ．１４／５１９，２３３  ｆｏｒ  ＨＡＮＤＨＥＬＤ  ＤＩＭＥＮＳＩＯＮＥＲ  ＷＩＴＨ  ＤＡＴＡ-ＱＵＡＬＩＴＹ  ＩＮＤＩＣＡＴＩＯＮ  ｆｉｌｅｄ  Ｏｃｔ．  ２１，  ２０１４  （Ｌａｆｆａｒｇｕｅ  ｅｔ  ａｌ．）；
米国特許出願Ｎｏ．１４／５１９，２４９  ｆｏｒ  ＨＡＮＤＨＥＬＤ  ＤＩＭＥＮＳＩＯＮＩＮＧ  ＳＹＳＴＥＭ  ＷＩＴＨ  ＭＥＡＳＵＲＥＭＥＮＴ-ＣＯＮＦＯＲＭＡＮＣＥ  ＦＥＥＤＢＡＣＫ  ｆｉｌｅｄ  Ｏｃｔ．  ２１，  ２０１４  （Ａｃｋｌｅｙ  ｅｔ  ａｌ．）；
米国特許出願Ｎｏ．１４／５２７，１９１  ｆｏｒ  ＭＥＴＨＯＤ  ＡＮＤ  ＳＹＳＴＥＭ  ＦＯＲ  ＲＥＣＯＧＮＩＺＩＮＧ  ＳＰＥＥＣＨ  ＵＳＩＮＧ  ＷＩＬＤＣＡＲＤＳ  ＩＮ  ＡＮ  ＥＸＰＥＣＴＥＤ  ＲＥＳＰＯＮＳＥ  ｆｉｌｅｄ  Ｏｃｔ．  ２９，  ２０１４  （Ｂｒａｈｏ  ｅｔ  ａｌ．）；
米国特許出願Ｎｏ．１４／５２９，５６３  ｆｏｒ  ＡＤＡＰＴＡＢＬＥ  ＩＮＴＥＲＦＡＣＥ  ＦＯＲ  Ａ  ＭＯＢＩＬＥ  ＣＯＭＰＵＴＩＮＧ  ＤＥＶＩＣＥ  ｆｉｌｅｄ  Ｏｃｔ．  ３１，  ２０１４  （Ｓｃｈｏｏｎ  ｅｔ  ａｌ．）；
米国特許出願Ｎｏ．１４／５２９，８５７  ｆｏｒ  ＢＡＲＣＯＤＥ  ＲＥＡＤＥＲ  ＷＩＴＨ  ＳＥＣＵＲＩＴＹ  ＦＥＡＴＵＲＥＳ  ｆｉｌｅｄ  Ｏｃｔｏｂｅｒ  ３１，  ２０１４  （Ｔｏｄｅｓｃｈｉｎｉ  ｅｔ  ａｌ．）；
米国特許出願Ｎｏ．１４／３９８，５４２  ｆｏｒ  ＰＯＲＴＡＢＬＥ  ＥＬＥＣＴＲＯＮＩＣ  ＤＥＶＩＣＥＳ  ＨＡＶＩＮＧ  Ａ  ＳＥＰＡＲＡＴＥ  ＬＯＣＡＴＩＯＮ  ＴＲＩＧＧＥＲ  ＵＮＩＴ  ＦＯＲ  ＵＳＥ  ＩＮ  ＣＯＮＴＲＯＬＬＩＮＧ  ＡＮ  出願  ＵＮＩＴ  ｆｉｌｅｄ  Ｎｏｖｅｍｂｅｒ  ３，  ２０１４  （Ｂｉａｎ  ｅｔ  ａｌ．）；
米国特許出願Ｎｏ．１４／５３１，１５４  ｆｏｒ  ＤＩＲＥＣＴＩＮＧ  ＡＮ  ＩＮＳＰＥＣＴＯＲ  ＴＨＲＯＵＧＨ  ＡＮ  ＩＮＳＰＥＣＴＩＯＮ  ｆｉｌｅｄ  Ｎｏｖ．  ３，  ２０１４  （Ｍｉｌｌｅｒ  ｅｔ  ａｌ．）；
米国特許出願Ｎｏ．１４／５３３，３１９  ｆｏｒ  ＢＡＲＣＯＤＥ  ＳＣＡＮＮＩＮＧ  ＳＹＳＴＥＭ  ＵＳＩＮＧ  ＷＥＡＲＡＢＬＥ  ＤＥＶＩＣＥ  ＷＩＴＨ  ＥＭＢＥＤＤＥＤ  ＣＡＭＥＲＡ  ｆｉｌｅｄ  Ｎｏｖ．  ５，  ２０１４  （Ｔｏｄｅｓｃｈｉｎｉ）；
米国特許出願Ｎｏ．１４／５３５，７６４  ｆｏｒ  ＣＯＮＣＡＴＥＮＡＴＥＤ  ＥＸＰＥＣＴＥＤ  ＲＥＳＰＯＮＳＥＳ  ＦＯＲ  ＳＰＥＥＣＨ  ＲＥＣＯＧＮＩＴＩＯＮ  ｆｉｌｅｄ  Ｎｏｖ．  ７，  ２０１４  （Ｂｒａｈｏ  ｅｔ  ａｌ．）；
米国特許出願Ｎｏ．１４／５６８，３０５  ｆｏｒ  ＡＵＴＯ-ＣＯＮＴＲＡＳＴ  ＶＩＥＷＦＩＮＤＥＲ  ＦＯＲ  ＡＮ  ＩＮＤＩＣＩＡ  ＲＥＡＤＥＲ  ｆｉｌｅｄ  Ｄｅｃ．  １２，  ２０１４  （Ｔｏｄｅｓｃｈｉｎｉ）；
米国特許出願Ｎｏ．１４／５７３，０２２  ｆｏｒ  ＤＹＮＡＭＩＣ  ＤＩＡＧＮＯＳＴＩＣ  ＩＮＤＩＣＡＴＯＲ  ＧＥＮＥＲＡＴＩＯＮ  ｆｉｌｅｄ  Ｄｅｃ．  １７，  ２０１４  （Ｇｏｌｄｓｍｉｔｈ）；
米国特許出願Ｎｏ．１４／５７８，６２７  ｆｏｒ  ＳＡＦＥＴＹ  ＳＹＳＴＥＭ  ＡＮＤ  ＭＥＴＨＯＤ  ｆｉｌｅｄ  Ｄｅｃ．  ２２，  ２０１４  （Ａｃｋｌｅｙ  ｅｔ  ａｌ．）；
米国特許出願Ｎｏ．１４／５８０，２６２  ｆｏｒ  ＭＥＤＩＡ  ＧＡＴＥ  ＦＯＲ  ＴＨＥＲＭＡＬ  ＴＲＡＮＳＦＥＲ  ＰＲＩＮＴＥＲＳ  ｆｉｌｅｄ  Ｄｅｃ．  ２３，  ２０１４  （Ｂｏｗｌｅｓ）；
米国特許出願Ｎｏ．１４／５９０，０２４  ｆｏｒ  ＳＨＥＬＶＩＮＧ  ＡＮＤ  ＰＡＣＫＡＧＥ  ＬＯＣＡＴＩＮＧ  ＳＹＳＴＥＭＳ  ＦＯＲ  ＤＥＬＩＶＥＲＹ  ＶＥＨＩＣＬＥＳ  ｆｉｌｅｄ  Ｊａｎｕａｒｙ  ６，  ２０１５  （Ｐａｙｎｅ）；
米国特許出願Ｎｏ．１４／５９６，７５７  ｆｏｒ  ＳＹＳＴＥＭ  ＡＮＤ  ＭＥＴＨＯＤ  ＦＯＲ  ＤＥＴＥＣＴＩＮＧ  ＢＡＲＣＯＤＥ  ＰＲＩＮＴＩＮＧ  ＥＲＲＯＲＳ  ｆｉｌｅｄ  Ｊａｎ．  １４，  ２０１５  （Ａｃｋｌｅｙ）；
米国特許出願Ｎｏ．１４／４１６，１４７  ｆｏｒ  ＯＰＴＩＣＡＬ  ＲＥＡＤＩＮＧ  ＡＰＰＡＲＡＴＵＳ  ＨＡＶＩＮＧ  ＶＡＲＩＡＢＬＥ  ＳＥＴＴＩＮＧＳ  ｆｉｌｅｄ  Ｊａｎｕａｒｙ  ２１，  ２０１５  （Ｃｈｅｎ  ｅｔ  ａｌ．）；
米国特許出願Ｎｏ．１４／６１４，７０６  ｆｏｒ  ＤＥＶＩＣＥ  ＦＯＲ  ＳＵＰＰＯＲＴＩＮＧ  ＡＮ  ＥＬＥＣＴＲＯＮＩＣ  ＴＯＯＬ  ＯＮ  Ａ  ＵＳＥＲ'Ｓ  ＨＡＮＤ  ｆｉｌｅｄ  Ｆｅｂ．  ５，  ２０１５  （Ｏｂｅｒｐｒｉｌｌｅｒ  ｅｔ  ａｌ．）；
米国特許出願Ｎｏ．１４／６１４，７９６  ｆｏｒ  ＣＡＲＧＯ  ＡＰＰＯＲＴＩＯＮＭＥＮＴ  ＴＥＣＨＮＩＱＵＥＳ  ｆｉｌｅｄ  Ｆｅｂ．  ５，  ２０１５  （Ｍｏｒｔｏｎ  ｅｔ  ａｌ．）；
米国特許出願Ｎｏ．２９／５１６，８９２  ｆｏｒ  ＴＡＢＬＥ  ＣＯＭＰＵＴＥＲ  ｆｉｌｅｄ  Ｆｅｂ．  ６，  ２０１５  （Ｂｉｄｗｅｌｌ  ｅｔ  ａｌ．）；
米国特許出願Ｎｏ．１４／６１９，０９３  ｆｏｒ  ＭＥＴＨＯＤＳ  ＦＯＲ  ＴＲＡＩＮＩＮＧ  Ａ  ＳＰＥＥＣＨ  ＲＥＣＯＧＮＩＴＩＯＮ  ＳＹＳＴＥＭ  ｆｉｌｅｄ  Ｆｅｂ．  １１，  ２０１５  （Ｐｅｃｏｒａｒｉ）；
米国特許出願Ｎｏ．１４／６２８，７０８  ｆｏｒ  ＤＥＶＩＣＥ，  ＳＹＳＴＥＭ，  ＡＮＤ  ＭＥＴＨＯＤ  ＦＯＲ  ＤＥＴＥＲＭＩＮＩＮＧ  ＴＨＥ  ＳＴＡＴＵＳ  ＯＦ  ＣＨＥＣＫＯＵＴ  ＬＡＮＥＳ  ｆｉｌｅｄ  Ｆｅｂ．  ２３，  ２０１５  （Ｔｏｄｅｓｃｈｉｎｉ）；
米国特許出願Ｎｏ．１４／６３０，８４１  ｆｏｒ  ＴＥＲＭＩＮＡＬ  ＩＮＣＬＵＤＩＮＧ  ＩＭＡＧＩＮＧ  ＡＳＳＥＭＢＬＹ  ｆｉｌｅｄ  Ｆｅｂ．  ２５，  ２０１５  （Ｇｏｍｅｚ  ｅｔ  ａｌ．）；
米国特許出願Ｎｏ．１４／６３５，３４６  ｆｏｒ  ＳＹＳＴＥＭ  ＡＮＤ  ＭＥＴＨＯＤ  ＦＯＲ  ＲＥＬＩＡＢＬＥ  ＳＴＯＲＥ-ＡＮＤ-ＦＯＲＷＡＲＤ  ＤＡＴＡ  ＨＡＮＤＬＩＮＧ  ＢＹ  ＥＮＣＯＤＥＤ  ＩＮＦＯＲＭＡＴＩＯＮ  ＲＥＡＤＩＮＧ  ＴＥＲＭＩＮＡＬＳ  ｆｉｌｅｄ  Ｍａｒｃｈ  ２，  ２０１５  （Ｓｅｖｉｅｒ）；
米国特許出願Ｎｏ．２９／５１９，０１７  ｆｏｒ  ＳＣＡＮＮＥＲ  ｆｉｌｅｄ  Ｍａｒｃｈ  ２，  ２０１５  （Ｚｈｏｕ  ｅｔ  ａｌ．）；
米国特許出願Ｎｏ．１４／４０５，２７８  ｆｏｒ  ＤＥＳＩＧＮ  ＰＡＴＴＥＲＮ  ＦＯＲ  ＳＥＣＵＲＥ  ＳＴＯＲＥ  ｆｉｌｅｄ  Ｍａｒｃｈ  ９，  ２０１５  （Ｚｈｕ  ｅｔ  ａｌ．）；
米国特許出願Ｎｏ．１４／６６０，９７０  ｆｏｒ  ＤＥＣＯＤＡＢＬＥ  ＩＮＤＩＣＩＡ  ＲＥＡＤＩＮＧ  ＴＥＲＭＩＮＡＬ  ＷＩＴＨ  ＣＯＭＢＩＮＥＤ  ＩＬＬＵＭＩＮＡＴＩＯＮ  ｆｉｌｅｄ  Ｍａｒｃｈ  １８，  ２０１５  （Ｋｅａｒｎｅｙ  ｅｔ  ａｌ．）；
米国特許出願Ｎｏ．１４／６６１，０１３  ｆｏｒ  ＲＥＰＲＯＧＲＡＭＭＩＮＧ  ＳＹＳＴＥＭ  ＡＮＤ  ＭＥＴＨＯＤ  ＦＯＲ  ＤＥＶＩＣＥＳ  ＩＮＣＬＵＤＩＮＧ  ＰＲＯＧＲＡＭＭＩＮＧ  ＳＹＭＢＯＬ  ｆｉｌｅｄ  Ｍａｒｃｈ  １８，  ２０１５  （Ｓｏｕｌｅ  ｅｔ  ａｌ．）；
米国特許出願Ｎｏ．１４／６６２，９２２  ｆｏｒ  ＭＵＬＴＩＦＵＮＣＴＩＯＮ  ＰＯＩＮＴ  ＯＦ  ＳＡＬＥ  ＳＹＳＴＥＭ  ｆｉｌｅｄ  Ｍａｒｃｈ  １９，  ２０１５  （Ｖａｎ  Ｈｏｒｎ  ｅｔ  ａｌ．）；
米国特許出願Ｎｏ．１４／６６３，６３８  ｆｏｒ  ＶＥＨＩＣＬＥ  ＭＯＵＮＴ  ＣＯＭＰＵＴＥＲ  ＷＩＴＨ  ＣＯＮＦＩＧＵＲＡＢＬＥ  ＩＧＮＩＴＩＯＮ  ＳＷＩＴＣＨ  ＢＥＨＡＶＩＯＲ  ｆｉｌｅｄ  Ｍａｒｃｈ  ２０，  ２０１５  （Ｄａｖｉｓ  ｅｔ  ａｌ．）；
米国特許出願Ｎｏ．１４／６６４，０６３  ｆｏｒ  ＭＥＴＨＯＤ  ＡＮＤ  出願  ＦＯＲ  ＳＣＡＮＮＩＮＧ  Ａ  ＢＡＲＣＯＤＥ  ＷＩＴＨ  Ａ  ＳＭＡＲＴ  ＤＥＶＩＣＥ  ＷＨＩＬＥ  ＣＯＮＴＩＮＵＯＵＳＬＹ  ＲＵＮＮＩＮＧ  ＡＮＤ  ＤＩＳＰＬＡＹＩＮＧ  ＡＮ  出願  ＯＮ  ＴＨＥ  ＳＭＡＲＴ  ＤＥＶＩＣＥ  ＤＩＳＰＬＡＹ  ｆｉｌｅｄ  Ｍａｒｃｈ  ２０，  ２０１５  （Ｔｏｄｅｓｃｈｉｎｉ）；
米国特許出願Ｎｏ．１４／６６９，２８０  ｆｏｒ  ＴＲＡＮＳＦＯＲＭＩＮＧ  ＣＯＭＰＯＮＥＮＴＳ  ＯＦ  Ａ  ＷＥＢ  ＰＡＧＥ  ＴＯ  ＶＯＩＣＥ  ＰＲＯＭＰＴＳ  ｆｉｌｅｄ  Ｍａｒｃｈ  ２６，  ２０１５  （Ｆｕｎｙａｋ  ｅｔ  ａｌ．）；
米国特許出願Ｎｏ．１４／６７４，３２９  ｆｏｒ  ＡＩＭＥＲ  ＦＯＲ  ＢＡＲＣＯＤＥ  ＳＣＡＮＮＩＮＧ  ｆｉｌｅｄ  Ｍａｒｃｈ  ３１，  ２０１５  （Ｂｉｄｗｅｌｌ）；
米国特許出願Ｎｏ．１４／６７６，１０９  ｆｏｒ  ＩＮＤＩＣＩＡ  ＲＥＡＤＥＲ  ｆｉｌｅｄ  Ａｐｒｉｌ  １，  ２０１５  （Ｈｕｃｋ）；
米国特許出願Ｎｏ．１４／６７６，３２７  ｆｏｒ  ＤＥＶＩＣＥ  ＭＡＮＡＧＥＭＥＮＴ  ＰＲＯＸＹ  ＦＯＲ  ＳＥＣＵＲＥ  ＤＥＶＩＣＥＳ  ｆｉｌｅｄ  Ａｐｒｉｌ  １，  ２０１５  （Ｙｅａｋｌｅｙ  ｅｔ  ａｌ．）；
米国特許出願Ｎｏ．１４／６７６，８９８  ｆｏｒ  ＮＡＶＩＧＡＴＩＯＮ  ＳＹＳＴＥＭ  ＣＯＮＦＩＧＵＲＥＤ  ＴＯ  ＩＮＴＥＧＲＡＴＥ  ＭＯＴＩＯＮ  ＳＥＮＳＩＮＧ  ＤＥＶＩＣＥ  ＩＮＰＵＴＳ  ｆｉｌｅｄ  Ａｐｒｉｌ  ２，  ２０１５  （Ｓｈｏｗｅｒｉｎｇ）；
米国特許出願Ｎｏ．１４／６７９，２７５  ｆｏｒ  ＤＩＭＥＮＳＩＯＮＩＮＧ  ＳＹＳＴＥＭ  ＣＡＬＩＢＲＡＴＩＯＮ  ＳＹＳＴＥＭＳ  ＡＮＤ  ＭＥＴＨＯＤＳ  ｆｉｌｅｄ  Ａｐｒｉｌ  ６，  ２０１５  （Ｌａｆｆａｒｇｕｅ  ｅｔ  ａｌ．）；
米国特許出願Ｎｏ．２９／５２３，０９８  ｆｏｒ  ＨＡＮＤＬＥ  ＦＯＲ  Ａ  ＴＡＢＬＥＴ  ＣＯＭＰＵＴＥＲ  ｆｉｌｅｄ  Ａｐｒｉｌ  ７，  ２０１５  （Ｂｉｄｗｅｌｌ  ｅｔ  ａｌ．）；
米国特許出願Ｎｏ．１４／６８２，６１５  ｆｏｒ  ＳＹＳＴＥＭ  ＡＮＤ  ＭＥＴＨＯＤ  ＦＯＲ  ＰＯＷＥＲ  ＭＡＮＡＧＥＭＥＮＴ  ＯＦ  ＭＯＢＩＬＥ  ＤＥＶＩＣＥＳ  ｆｉｌｅｄ  Ａｐｒｉｌ  ９，  ２０１５  （Ｍｕｒａｗｓｋｉ  ｅｔ  ａｌ．）；
米国特許出願Ｎｏ．１４／６８６，８２２  ｆｏｒ  ＭＵＬＴＩＰＬＥ  ＰＬＡＴＦＯＲＭ  ＳＵＰＰＯＲＴ  ＳＹＳＴＥＭ  ＡＮＤ  ＭＥＴＨＯＤ  ｆｉｌｅｄ  Ａｐｒｉｌ  １５，  ２０１５  （Ｑｕ  ｅｔ  ａｌ．）；
米国特許出願Ｎｏ．１４／６８７，２８９  ｆｏｒ  ＳＹＳＴＥＭ  ＦＯＲ  ＣＯＭＭＵＮＩＣＡＴＩＯＮ  ＶＩＡ  Ａ  ＰＥＲＩＰＨＥＲＡＬ  ＨＵＢ  ｆｉｌｅｄ  Ａｐｒｉｌ  １５，  ２０１５  （Ｋｏｈｔｚ  ｅｔ  ａｌ．）；
米国特許出願Ｎｏ．２９／５２４，１８６  ｆｏｒ  ＳＣＡＮＮＥＲ  ｆｉｌｅｄ  Ａｐｒｉｌ  １７，  ２０１５  （Ｚｈｏｕ  ｅｔ  ａｌ．）；
米国特許出願Ｎｏ．１４／６９５，３６４  ｆｏｒ  ＭＥＤＩＣＡＴＩＯＮ  ＭＡＮＡＧＥＭＥＮＴ  ＳＹＳＴＥＭ  ｆｉｌｅｄ  Ａｐｒｉｌ  ２４，  ２０１５  （Ｓｅｗｅｌｌ  ｅｔ  ａｌ．）；
米国特許出願Ｎｏ．１４／６９５，９２３  ｆｏｒ  ＳＥＣＵＲＥ  ＵＮＡＴＴＥＮＤＥＤ  ＮＥＴＷＯＲＫ  ＡＵＴＨＥＮＴＩＣＡＴＩＯＮ  ｆｉｌｅｄ  Ａｐｒｉｌ  ２４，  ２０１５  （Ｋｕｂｌｅｒ  ｅｔ  ａｌ．）；
米国特許出願Ｎｏ．２９／５２５，０６８  ｆｏｒ  ＴＡＢＬＥＴ  ＣＯＭＰＵＴＥＲ  ＷＩＴＨ  ＲＥＭＯＶＡＢＬＥ  ＳＣＡＮＮＩＮＧ  ＤＥＶＩＣＥ  ｆｉｌｅｄ  Ａｐｒｉｌ  ２７，  ２０１５  （Ｓｃｈｕｌｔｅ  ｅｔ  ａｌ．）；
米国特許出願Ｎｏ．１４／６９９，４３６  ｆｏｒ  ＳＹＭＢＯＬ  ＲＥＡＤＩＮＧ  ＳＹＳＴＥＭ  ＨＡＶＩＮＧ  ＰＲＥＤＩＣＴＩＶＥ  ＤＩＡＧＮＯＳＴＩＣＳ  ｆｉｌｅｄ  Ａｐｒｉｌ  ２９，  ２０１５  （Ｎａｈｉｌｌ  ｅｔ  ａｌ．）；
米国特許出願Ｎｏ．１４／７０２，１１０  ｆｏｒ  ＳＹＳＴＥＭ  ＡＮＤ  ＭＥＴＨＯＤ  ＦＯＲ  ＲＥＧＵＬＡＴＩＮＧ  ＢＡＲＣＯＤＥ  ＤＡＴＡ  ＩＮＪＥＣＴＩＯＮ  ＩＮＴＯ  Ａ  ＲＵＮＮＩＮＧ  出願  ＯＮ  Ａ  ＳＭＡＲＴ  ＤＥＶＩＣＥ  ｆｉｌｅｄ  Ｍａｙ  １，  ２０１５  （Ｔｏｄｅｓｃｈｉｎｉ  ｅｔ  ａｌ．）；
米国特許出願Ｎｏ．１４／７０２，９７９  ｆｏｒ  ＴＲＡＣＫＩＮＧ  ＢＡＴＴＥＲＹ  ＣＯＮＤＩＴＩＯＮＳ  ｆｉｌｅｄ  Ｍａｙ  ４，  ２０１５  （Ｙｏｕｎｇ  ｅｔ  ａｌ．）；
米国特許出願Ｎｏ．１４／７０４，０５０  ｆｏｒ  ＩＮＴＥＲＭＥＤＩＡＴＥ  ＬＩＮＥＡＲ  ＰＯＳＩＴＩＯＮＩＮＧ  ｆｉｌｅｄ  Ｍａｙ  ５，  ２０１５  （Ｃｈａｒｐｅｎｔｉｅｒ  ｅｔ  ａｌ．）；
米国特許出願Ｎｏ．１４／７０５，０１２  ｆｏｒ  ＨＡＮＤＳ-ＦＲＥＥ  ＨＵＭＡＮ  ＭＡＣＨＩＮＥ  ＩＮＴＥＲＦＡＣＥ  ＲＥＳＰＯＮＳＩＶＥ  ＴＯ  Ａ  ＤＲＩＶＥＲ  ＯＦ  Ａ  ＶＥＨＩＣＬＥ  ｆｉｌｅｄ  Ｍａｙ  ６，  ２０１５  （Ｆｉｔｃｈ  ｅｔ  ａｌ．）；
米国特許出願Ｎｏ．１４／７０５，４０７  ｆｏｒ  ＭＥＴＨＯＤ  ＡＮＤ  ＳＹＳＴＥＭ  ＴＯ  ＰＲＯＴＥＣＴ  ＳＯＦＴＷＡＲＥ-ＢＡＳＥＤ  ＮＥＴＷＯＲＫ-ＣＯＮＮＥＣＴＥＤ  ＤＥＶＩＣＥＳ  ＦＲＯＭ  ＡＤＶＡＮＣＥＤ  ＰＥＲＳＩＳＴＥＮＴ  ＴＨＲＥＡＴ  ｆｉｌｅｄ  Ｍａｙ  ６，  ２０１５  （Ｈｕｓｓｅｙ  ｅｔ  ａｌ．）；
米国特許出願Ｎｏ．１４／７０７，０３７  ｆｏｒ  ＳＹＳＴＥＭ  ＡＮＤ  ＭＥＴＨＯＤ  ＦＯＲ  ＤＩＳＰＬＡＹ  ＯＦ  ＩＮＦＯＲＭＡＴＩＯＮ  ＵＳＩＮＧ  Ａ  ＶＥＨＩＣＬＥ-ＭＯＵＮＴ  ＣＯＭＰＵＴＥＲ  ｆｉｌｅｄ  Ｍａｙ  ８，  ２０１５  （Ｃｈａｍｂｅｒｌｉｎ）；
米国特許出願Ｎｏ．１４／７０７，１２３  ｆｏｒ  出願  ＩＮＤＥＰＥＮＤＥＮＴ  ＤＥＸ／ＵＣＳ  ＩＮＴＥＲＦＡＣＥ  ｆｉｌｅｄ  Ｍａｙ  ８，  ２０１５  （Ｐａｐｅ）；
米国特許出願Ｎｏ．１４／７０７，４９２  ｆｏｒ  ＭＥＴＨＯＤ  ＡＮＤ  ＡＰＰＡＲＡＴＵＳ  ＦＯＲ  ＲＥＡＤＩＮＧ  ＯＰＴＩＣＡＬ  ＩＮＤＩＣＩＡ  ＵＳＩＮＧ  Ａ  ＰＬＵＲＡＬＩＴＹ  ＯＦ  ＤＡＴＡ  ＳＯＵＲＣＥＳ  ｆｉｌｅｄ  Ｍａｙ  ８，  ２０１５  （Ｓｍｉｔｈ  ｅｔ  ａｌ．）；
米国特許出願Ｎｏ．１４／７１０，６６６  ｆｏｒ  ＰＲＥ-ＰＡＩＤ  ＵＳＡＧＥ  ＳＹＳＴＥＭ  ＦＯＲ  ＥＮＣＯＤＥＤ  ＩＮＦＯＲＭＡＴＩＯＮ  ＲＥＡＤＩＮＧ  ＴＥＲＭＩＮＡＬＳ  ｆｉｌｅｄ  Ｍａｙ  １３，  ２０１５  （Ｓｍｉｔｈ）；
米国特許出願Ｎｏ．２９／５２６，９１８  ｆｏｒ  ＣＨＡＲＧＩＮＧ  ＢＡＳＥ  ｆｉｌｅｄ  Ｍａｙ  １４，  ２０１５  （Ｆｉｔｃｈ  ｅｔ  ａｌ．）；
米国特許出願Ｎｏ．１４／７１５，６７２  ｆｏｒ  ＡＵＧＵＭＥＮＴＥＤ  ＲＥＡＬＩＴＹ  ＥＮＡＢＬＥＤ  ＨＡＺＡＲＤ  ＤＩＳＰＬＡＹ  ｆｉｌｅｄ  Ｍａｙ  １９，  ２０１５  （Ｖｅｎｋａｔｅｓｈａ  ｅｔ  ａｌ．）；
米国特許出願Ｎｏ．１４／７１５，９１６  ｆｏｒ  ＥＶＡＬＵＡＴＩＮＧ  ＩＭＡＧＥ  ＶＡＬＵＥＳ  ｆｉｌｅｄ  Ｍａｙ  １９，  ２０１５  （Ａｃｋｌｅｙ）；
米国特許出願Ｎｏ．１４／７２２，６０８  ｆｏｒ  ＩＮＴＥＲＡＣＴＩＶＥ  ＵＳＥＲ  ＩＮＴＥＲＦＡＣＥ  ＦＯＲ  ＣＡＰＴＵＲＩＮＧ  Ａ  ＤＯＣＵＭＥＮＴ  ＩＮ  ＡＮ  ＩＭＡＧＥ  ＳＩＧＮＡＬ  ｆｉｌｅｄ  Ｍａｙ  ２７，  ２０１５  （Ｓｈｏｗｅｒｉｎｇ  ｅｔ  ａｌ．）；
米国特許出願Ｎｏ．２９／５２８，１６５  ｆｏｒ  ＩＮ-ＣＯＵＮＴＥＲ  ＢＡＲＣＯＤＥ  ＳＣＡＮＮＥＲ  ｆｉｌｅｄ  Ｍａｙ  ２７，  ２０１５  （Ｏｂｅｒｐｒｉｌｌｅｒ  ｅｔ  ａｌ．）；
米国特許出願Ｎｏ．１４／７２４，１３４  ｆｏｒ  ＥＬＥＣＴＲＯＮＩＣ  ＤＥＶＩＣＥ  ＷＩＴＨ  ＷＩＲＥＬＥＳＳ  ＰＡＴＨ  ＳＥＬＥＣＴＩＯＮ  ＣＡＰＡＢＩＬＩＴＹ  ｆｉｌｅｄ  Ｍａｙ  ２８，  ２０１５  （Ｗａｎｇ  ｅｔ  ａｌ．）；
米国特許出願Ｎｏ．１４／７２４，８４９  ｆｏｒ  ＭＥＴＨＯＤ  ＯＦ  ＰＲＯＧＲＡＭＭＩＮＧ  ＴＨＥ  ＤＥＦＡＵＬＴ  ＣＡＢＬＥ  ＩＮＴＥＲＦＡＣＥ  ＳＯＦＴＷＡＲＥ  ＩＮ  ＡＮ  ＩＮＤＩＣＩＡ  ＲＥＡＤＩＮＧ  ＤＥＶＩＣＥ  ｆｉｌｅｄ  Ｍａｙ  ２９，  ２０１５  （Ｂａｒｔｅｎ）；
米国特許出願Ｎｏ．１４／７２４，９０８  ｆｏｒ  ＩＭＡＧＩＮＧ  ＡＰＰＡＲＡＴＵＳ  ＨＡＶＩＮＧ  ＩＭＡＧＩＮＧ  ＡＳＳＥＭＢＬＹ  ｆｉｌｅｄ  Ｍａｙ  ２９，  ２０１５  （Ｂａｒｂｅｒ  ｅｔ  ａｌ．）；
米国特許出願Ｎｏ．１４／７２５，３５２  ｆｏｒ  ＡＰＰＡＲＡＴＵＳ  ＡＮＤ  ＭＥＴＨＯＤＳ  ＦＯＲ  ＭＯＮＩＴＯＲＩＮＧ  ＯＮＥ  ＯＲ  ＭＯＲＥ  ＰＯＲＴＡＢＬＥ  ＤＡＴＡ  ＴＥＲＭＩＮＡＬＳ  （Ｃａｂａｌｌｅｒｏ  ｅｔ  ａｌ．）；
米国特許出願Ｎｏ．２９／５２８，５９０  ｆｏｒ  ＥＬＥＣＴＲＯＮＩＣ  ＤＥＶＩＣＥ  ｆｉｌｅｄ  Ｍａｙ  ２９，  ２０１５  （Ｆｉｔｃｈ  ｅｔ  ａｌ．）；
米国特許出願Ｎｏ．２９／５２８，８９０  ｆｏｒ  ＭＯＢＩＬＥ  ＣＯＭＰＵＴＥＲ  ＨＯＵＳＩＮＧ  ｆｉｌｅｄ  Ｊｕｎｅ  ２，  ２０１５  （Ｆｉｔｃｈ  ｅｔ  ａｌ．）；
米国特許出願Ｎｏ．１４／７２８，３９７  ｆｏｒ  ＤＥＶＩＣＥ  ＭＡＮＡＧＥＭＥＮＴ  ＵＳＩＮＧ  ＶＩＲＴＵＡＬ  ＩＮＴＥＲＦＡＣＥＳ  ＣＲＯＳＳ-ＲＥＦＥＲＥＮＣＥ  ＴＯ  ＲＥＬＡＴＥＤ  出願Ｓ  ｆｉｌｅｄ  Ｊｕｎｅ  ２，  ２０１５  （Ｃａｂａｌｌｅｒｏ）；
米国特許出願Ｎｏ．１４／７３２，８７０  ｆｏｒ  ＤＡＴＡ  ＣＯＬＬＥＣＴＩＯＮ  ＭＯＤＵＬＥ  ＡＮＤ  ＳＹＳＴＥＭ  ｆｉｌｅｄ  Ｊｕｎｅ  ８，  ２０１５  （Ｐｏｗｉｌｌｅｉｔ）；
米国特許出願Ｎｏ．２９／５２９，４４１  ｆｏｒ  ＩＮＤＩＣＩＡ  ＲＥＡＤＩＮＧ  ＤＥＶＩＣＥ  ｆｉｌｅｄ  Ｊｕｎｅ  ８，  ２０１５  （Ｚｈｏｕ  ｅｔ  ａｌ．）；
米国特許出願Ｎｏ．１４／７３５，７１７  ｆｏｒ  ＩＮＤＩＣＩＡ-ＲＥＡＤＩＮＧ  ＳＹＳＴＥＭＳ  ＨＡＶＩＮＧ  ＡＮ  ＩＮＴＥＲＦＡＣＥ  ＷＩＴＨ  Ａ  ＵＳＥＲ'Ｓ  ＮＥＲＶＯＵＳ  ＳＹＳＴＥＭ  ｆｉｌｅｄ  Ｊｕｎｅ  １０，  ２０１５  （Ｔｏｄｅｓｃｈｉｎｉ）；
米国特許出願Ｎｏ．１４／７３８，０３８  ｆｏｒ  ＭＥＴＨＯＤ  ＯＦ  ＡＮＤ  ＳＹＳＴＥＭ  ＦＯＲ  ＤＥＴＥＣＴＩＮＧ  ＯＢＪＥＣＴ  ＷＥＩＧＨＩＮＧ  ＩＮＴＥＲＦＥＲＥＮＣＥＳ  ｆｉｌｅｄ  Ｊｕｎｅ  １２，  ２０１５  （Ａｍｕｎｄｓｅｎ  ｅｔ  ａｌ．）；
米国特許出願Ｎｏ．１４／７４０，３２０  ｆｏｒ  ＴＡＣＴＩＬＥ  ＳＷＩＴＣＨ  ＦＯＲ  Ａ  ＭＯＢＩＬＥ  ＥＬＥＣＴＲＯＮＩＣ  ＤＥＶＩＣＥ  ｆｉｌｅｄ  Ｊｕｎｅ  １６，  ２０１５  （Ｂａｎｄｒｉｎｇａ）；
米国特許出願Ｎｏ．１４／７４０，３７３  ｆｏｒ  ＣＡＬＩＢＲＡＴＩＮＧ  Ａ  ＶＯＬＵＭＥ  ＤＩＭＥＮＳＩＯＮＥＲ  ｆｉｌｅｄ  Ｊｕｎｅ  １６，  ２０１５  （Ａｃｋｌｅｙ  ｅｔ  ａｌ．）；
米国特許出願Ｎｏ．１４／７４２，８１８  ｆｏｒ  ＩＮＤＩＣＩＡ  ＲＥＡＤＩＮＧ  ＳＹＳＴＥＭ  ＥＭＰＬＯＹＩＮＧ  ＤＩＧＩＴＡＬ  ＧＡＩＮ  ＣＯＮＴＲＯＬ  ｆｉｌｅｄ  Ｊｕｎｅ  １８，  ２０１５  （Ｘｉａｎ  ｅｔ  ａｌ．）；
米国特許出願Ｎｏ．１４／７４３，２５７  ｆｏｒ  ＷＩＲＥＬＥＳＳ  ＭＥＳＨ  ＰＯＩＮＴ  ＰＯＲＴＡＢＬＥ  ＤＡＴＡ  ＴＥＲＭＩＮＡＬ  ｆｉｌｅｄ  Ｊｕｎｅ  １８，  ２０１５  （Ｗａｎｇ  ｅｔ  ａｌ．）；
米国特許出願Ｎｏ．２９／５３０，６００  ｆｏｒ  ＣＹＣＬＯＮＥ  ｆｉｌｅｄ  Ｊｕｎｅ  １８，  ２０１５  （Ｖａｒｇｏ  ｅｔ  ａｌ）；
米国特許出願Ｎｏ．１４／７４４，６３３  ｆｏｒ  ＩＭＡＧＩＮＧ  ＡＰＰＡＲＡＴＵＳ  ＣＯＭＰＲＩＳＩＮＧ  ＩＭＡＧＥ  ＳＥＮＳＯＲ  ＡＲＲＡＹ  ＨＡＶＩＮＧ  ＳＨＡＲＥＤ  ＧＬＯＢＡＬ  ＳＨＵＴＴＥＲ  ＣＩＲＣＵＩＴＲＹ  ｆｉｌｅｄ  Ｊｕｎｅ  １９，  ２０１５  （Ｗａｎｇ）；
米国特許出願Ｎｏ．１４／７４４，８３６  ｆｏｒ  ＣＬＯＵＤ-ＢＡＳＥＤ  ＳＹＳＴＥＭ  ＦＯＲ  ＲＥＡＤＩＮＧ  ＯＦ  ＤＥＣＯＤＡＢＬＥ  ＩＮＤＩＣＩＡ  ｆｉｌｅｄ  Ｊｕｎｅ  １９，  ２０１５  （Ｔｏｄｅｓｃｈｉｎｉ  ｅｔ  ａｌ．）；
米国特許出願Ｎｏ．１４／７４５，００６  ｆｏｒ  ＳＥＬＥＣＴＩＶＥ  ＯＵＴＰＵＴ  ＯＦ  ＤＥＣＯＤＥＤ  ＭＥＳＳＡＧＥ  ＤＡＴＡ  ｆｉｌｅｄ  Ｊｕｎｅ  １９，  ２０１５  （Ｔｏｄｅｓｃｈｉｎｉ  ｅｔ  ａｌ．）；
米国特許出願Ｎｏ．１４／７４７，１９７  ｆｏｒ  ＯＰＴＩＣＡＬ  ＰＡＴＴＥＲＮ  ＰＲＯＪＥＣＴＯＲ  ｆｉｌｅｄ  Ｊｕｎｅ  ２３，  ２０１５  （Ｔｈｕｒｉｅｓ  ｅｔ  ａｌ．）；
米国特許出願Ｎｏ．１４／７４７，４９０  ｆｏｒ  ＤＵＡＬ-ＰＲＯＪＥＣＴＯＲ  ＴＨＲＥＥ-ＤＩＭＥＮＳＩＯＮＡＬ  ＳＣＡＮＮＥＲ  ｆｉｌｅｄ  Ｊｕｎｅ  ２３，  ２０１５  （Ｊｏｖａｎｏｖｓｋｉ  ｅｔ  ａｌ．）；
米国特許出願Ｎｏ．１４／７４８，４４６  ｆｏｒ  ＣＯＲＤＬＥＳＳ  ＩＮＤＩＣＩＡ  ＲＥＡＤＥＲ  ＷＩＴＨ  Ａ  ＭＵＬＴＩＦＵＮＣＴＩＯＮ  ＣＯＩＬ  ＦＯＲ  ＷＩＲＥＬＥＳＳ  ＣＨＡＲＧＩＮＧ  ＡＮＤ  ＥＡＳ  ＤＥＡＣＴＩＶＡＴＩＯＮ，  ｆｉｌｅｄ  Ｊｕｎｅ  ２４，  ２０１５  （Ｘｉｅ  ｅｔ  ａｌ．）
[0027]明細書および／または図面において、本発明の典型的な実施形態および環境が開示された。本発明は、そのような例示的実施形態に限定されない。「および／または」という用語の使用は、関連する列挙された項目のうちの１つまたは複数の項目のいずれかおよび全ての組合せを含む。図面は略図であるので、必ずしも縮尺通りに描かれていない。特記のない限り、特定の用語は、限定の目的ではなく、一般的かつ説明的な意味で用いられている。
【符号の説明】
【００２４】
１００  フラッシュメモリ管理付き小型バーコード読取モジュール
【図１】
2016119097.tif 000003
【図２】
2016119097.tif 000004
【図３】
2016119097.tif 000005
【外国語明細書】
2016119097000001.pdf